(57)【要約】  本発明は、携帯電話やスマートフォンなどの機器で、入力ボタンの位置を各指の動き及び動線と調和させて機器を握った片手全ての指を使用するようにし、効率的で楽な入力ができるようにすることにより、機器をとらない手が自由になり、画面とボタンの領域を分離して、最大の画面が確保され、姿勢を拘束しているコンピュータのキーボードの使用から解放させて入力者の健康にも役立つ方法である。
2013539576.tif 000002
【特許請求の範囲】
【請求項１】
機器を握った片手全ての指を使用して入力する方法であって、
全体機器が片手で握られるサイズであり、前面全体に対応した大きな画面が要求される機器において、
前面全体の殆どを画面で使用し、
親指を除いた四指が届きやすい機器の一方の側面に文字ボタンを各指の動きと動線を考慮して配置するが、一つのボタンが１つの文字だけを担当するように、一国のアルファベットが片側全てに配列し、又は、少なくとも半分配列してシフトボタンを活用し
２つの配列組み合わせを使用できるようにして一つの文字ボタンが１つの文字だけを担当する原則を守り、
親指と人差指が届きやすい反対側の側面と上部及びその他の部分に必要なシフトボタンと機能ボタンを親指と人差指の動きと動線を考慮して配置することを含んでなる、機器を握った片手全ての指を使用して入力する方法。
【請求項２】
本体と有線又は無線で連結された別に分離された片手に握られるサイズの入力装置として、
画面が存在せず又は存在してもその重要性が小さい一般電話とテレビのリモコンと他の機器のリモコンなどの機器において、
機器前面を画面で使用する制限条件と、携帯の容易性のための薄い直方型外形を使用する制限条件がないため、機器全体を片手で握り、三次元的な外形デザインを図り、親指を除いた四本の指が届きやすい機器の部分に文字ボタンを配置し、親指と人差し指が届きやすい他の部分にシフトボタンと機能ボタンを配置することを備えてなる、請求項１に記載の、機器を取った片手全ての指を使用して入力する、方法。
【請求項３】
機器における入力装置の代わりに、本体と有線又は無線で連結される請求項２に記載の入力方法を使用する方法及び同じ機能あるいは補完の機能を有する、両手に握って使用する方法。
【請求項４】
飛行機や自動車や船舶などの移動装置や各種機械や機具などの入力装置として操縦ハンドルや本体に貼付されて動きが制限される形態での、請求項２に記載の方法を使用する方法及び同一な機能あるいは補完の機能を持つそれぞれの請求項２に記載の方法の装置を両手に握って使用する方法。
【請求項５】
請求項１に記載の方法を適用した機器が有線連結または無線連結の形態で各種機器の代替入力装置として使用される、方法。
【発明の詳細な説明】
【技術分野】
【０００１】
本発明は、携帯電話やスマートフォンなどの機器に適用できる入力する方法に関するものである。
【背景技術】
【０００２】
携帯電話やスマートフォンなどの機器では、最初に音声通信を主にしていたときには大きい画面と文字入力を必要としなかったので、必要なボタン数は、電話番号を入力するための数字ボタンといくつかの機能ボタンがあれば十分であって、画面の大きさも通信相手の電話番号を示す程度であれば十分であるため、ボタンと画面を同じ面に一緒に配列しても特に問題はなかった。
【０００３】
しかし、画面大きさの重要性がますます大きくなるにつれて、画面を最大限に大きくする必要があり、折り畳み型やスライド形式でボタンの付いた別の版を追加して、画面とボタンを別々に、別の面に分離して二つの面を使用する方法が開発され多く使われている。
【０００４】
最近では、実際のボタンは存在しないが、画面上に表示されるボタンを指でタッチして入力する画面タッチボタン方式が開発され、必要時に、ボタン部分を消して、最大サイズの画面を利用できるようになった。
【０００５】
また、多くの種類の文字をより早く入力する目的で、携帯電話などの機器の両側に多数のボタンを配列して両手で持つ状態で、両手の全ての指を使用して入力する方法などもそんざいするが、未だ、係る方法の実際の使用可否はあまり知られていない。
【０００６】
一方、コンピュータなどの機器では、主にキーボードを介して入力をしているが、この方法は両手をキーボード上に位置させた後、両手の全ての指を使用してキーボード上に平面的に配列されたボタンを押して入力するものである。最近では単純な平面配置ではなく、腕首や手首の曲げ能力などを人間工学的に考慮に入れた波型の左右配列又は高低配列の方法も開発されて使用されている。
【発明の詳細な説明】
【０００７】
［技術的課題］
携帯電話やスマートフォンなどの機器で、前面に平面的に配列された文字ボタンと機能ボタンを指の位置上、主に機器を握った手の親指だけで、または他方の手の親指や人差し指と一緒にして、少なくとも一、二本の指だけで押したり、タッチして操作するしかない従来の入力方法はいくつかの指だけ多忙となり、そ例外の他の指は全く使用せず、かなり非効率的である。
【０００８】
また、従来の入力方法は文字ボタン数が少ない場合、指の移動は速くて楽であるが、一つのボタンが複数の文字を担当しているため、特定の文字を入力するために同じボタンを何度も押す必要がある場合が頻繁に発生し、同じボタンの文字を連続して入力する場合、入力した文字が処理されるまで待つか、先入力の終了を知らせるボタンを押す必要があるため、入力速度がかなり遅れる。
【０００９】
上記欠点を避けるため、一つの文字を入力するためにボタンを一度だけ押すとできるように文字ボタン数を多く増やすことになるが、この方法では、押す前の遅滞時間はないが、多くのボタンを限られた面積に配置するため一つのボタンが占める面積が小さく、隣接ボタン間の間隔が狭く、指の動線が長くて比較的大きい指で希望するボタンを素早くかつ正確に押すのは困難であり、１つの指が押すボタン数があまりにも多くなり、もう一方の手の助けを得なければならない問題がある。さらに、もう一方の手の助けを受けても、ボタンを押すときの正確性に関する問題は残存し、速度の改善も図れず、両手全てが入力作業に要求されるとの追加の問題が生じ、多くの場合、両方の目も入力作業に固執することになるとのさらなる問題が生じることとなる。
【００１０】
画面がボタンの役割をするように作製された画面のタッチ方法は、必要のとき、ボタン部分を隠して最大サイズの画面を利用できるが、同じ画面でボタンを画面に表示する必要があるため、画面の相当な部分をボタン画面に割く必要があるとの問題があり、前記問題は未だ存在する。
【００１１】
折りたたみタイプやスライド形式で別の装置を追加して、画面とボタンを別の面で分離する従来の方法では、前記問題に加え、機器の相当な部分を占めるようになる、別の無駄な装置を取り付けなければならないといった問題がある。
【００１２】
携帯電話などの機器の両側に多数のボタンを配列して両手で持つ状態で、両手の全ての指を使用して入力する方法は、多くの種類の文字をより早く入力するメリットはあるが、両手で持つには機器の長さがある程度長くなければならないという条件が伴い、両手が全て入力作業に費やされるという問題がある。
【００１３】
コンピュータなどの機器で使用するキーボードは、タイプライター時代から平面的ボタンの配列を使用する。この方法は、両手をキーボード上に配置した後、両手の全ての指を使用する際の速度は速いけど、人体の姿勢を拘束して不便で両手全てを使用しなければならない。また、キーボードの大きさも小さくなくて、真っ直ぐに置く場所が要求されるなど、様々な問題点がある。
【００１４】
［課題を解決するための手段］
全体機器が片手で握ることができるサイズとして全面全体に対応する大きい画面が要求される携帯電話やスマートフォンなどの機器では、全面全体のほとんどを画面として使用し、親指を除いた四本の指が届きやすい機器の片側に文字ボタンを各指の動きと動線とを考慮して配置するが、一つのボタンが一つの文字だけを担当するように、できる限り一国のアルファベットが片側に全て配列されるようにするか、少なくとも半分程度は配列し、シフトボタンを活用して２つの配列の組み合わせが使用されるようにして一つの文字ボタンが１つの文字だけを担当する原則を守り、親指と人差指が届きやすい反対側の側面と上部及びその他の部分に必要なシフトボタンと機能ボタンを、親指と人差し指の動きと動線とを考慮し配置して、機器を握った片手全ての指を使って入力する方法を提供することにより、前記技術的課題を解決する。
【００１５】
本体と有線あるいは無線で連結される別の分離された片手に握られるサイズの入力装置として、画面が存在しないか、存在してもその重要性が小さい一般的な電話とテレビ及び他の機器のリモコンなどの機器では、前記方法を根幹とするが、機器の全面を画面で使用する制限条件と携帯の容易性のために、薄い直方体型外形を使用すべきとの制限条件がないため、機器全体を片手で持ちやすくて、３次元的な外形のデザインを図って、親指を除いた四つの指が届きやすい機器の部分に文字ボタンを配置し、親指と人差し指が届きやすい他の部分にシフトボタンと機能ボタンを配置して（このように作られた機器を２次元の平面を動く入力装置である“マウス”に比べて、３次元空間を勝手に動いて、別名“バード”と呼ぶことにする。）、機器を握った片手全ての指を使用して入力する方法により、前記技術的課題を解決することができる。
【００１６】
コンピュータなどの機器では、入力装置としてキーボードの代わりに、本体と有線あるいは無線で連結される前に指定した“バード”を使用する方法及び同一な機能あるいは補完の機能を持つそれぞれの“バード”を両手に握って使用する方法により、前記技術的課題を解決する。
【００１７】
［発明の効果］
本発明は、携帯電話やスマートフォンなどの機器では、機器を握った手の全ての指を使用して効率的であり、各指の活動領域が異なり、各指の間の干渉が少なく、各指が担当するボタン数が殆ど存在せず、各指の動線距離は短くて単純で入力の正確性と速度が非常に増大する。また、指とボタンの調和のとれた配置のため、指の動きが楽であり、全ての指を使うので、一部の指の過剰使用の問題や他の指の運動不足問題などを解消し、また片手だけを使用するので、人の体がかなり動きやすくなり、他方の手を自由に使えると倶に、健康に役立つ。
【００１８】
一方、携帯電話やスマートフォンなどの機器においては画面がある前面から外れた側面や上部などに文字ボタンや機能ボタンを主に置くようになり、頭を痛める従来方式の画面とボタンの間のポスト争いの問題も自然に解消され、従来の折り畳み型やスライド型などの別の装置も消えて機器の重量と大きさ及びそれに伴うコストも削減できる。
【図面の簡単な説明】
【００１９】
【図１】図１は、画面がある前面図（左手の基準）を示すものである。
【００２０】
【図２】図２は、親指を除いた四指の活動領域である右側面図（左手の基準）を示すものである。
【００２１】
【図３】図３は、親指の活動領域のうちの一つである左側面（左手の基準）を示すものである。
【００２２】
【図４】図４は、親指と人差し指の活動領域である上面図（左手の基準）を示すものである。
【００２３】
【図５】図５は、裏面図（左手の基準）を示すものである。
【発明の実施のための最善の形】
【００２４】
本発明を添付された図面を参照して詳細に説明すると下記通りである。
【００２５】
一国のアルファベットが片側に全て配列されるようにするか、少なくとも半分程度は配列してシフトボタンを活用して、２つの配列の組み合わせが使用されるようにする方法がある。使用する状況によるので、両者の優劣をつけ難く、ここで説明する形態は後者の方法である。
【００２６】
親指を除いた四本の指が届きやすい機器の右側面に、各指毎に幾つかの文字ボタン（Ａ１〜Ａ１４）を配置する。（図２右側面図と図１前面図及び図５裏面図参照）これらの各文字ボタンは、シフトボタンと組み合わせになって該当文字へ転換される。
【００２７】
親指と人差指が届きやすい機器の上部には、多数のシフトボタン（Ｂ１〜Ｂ１０）と第１種機能ボタン（Ｃ１〜Ｃ１０）を配置し、その他の適切な場所に第２種機能ボタン（Ｄ１〜Ｄ１７）を配置する。（図１前面図や図４上面図や図２右側面図や図３左面図及び図５裏面図参照）
【００２８】
シフトボタン（Ｂ１〜Ｂ１０）には、第１文字群、第２文字群、大文字、小文字、数字、演算、第１言語、第２言語、第３言語及び特殊文字シフトボタンがある。
【００２９】
第１種機能ボタン（Ｃ１〜Ｃ１０）には、ＥＮＴＥＲ、ＣＯＮＴＲＯＬ、ＳＰＡＣＥ、ＢＡＣＫＳＰＡＣＥ、ＩＮＳＥＲＴ、ＴＡＢ、ＤＥＬＥＴＥ、ＡＬＴ、ＦＵＮＣＴＩＯＮ、及びＥＳＣボタンがある。
【００３０】
第２種機能ボタン（Ｄ１〜Ｄ１６）には、メニュー、通話、メッセージ、電話帳、確認、取り消し、マナーモード、電源、ユーザセッティング及び撮影ボタンがあり、これらとは別に、上下左右移動ボタンと音量調節ボタンがある。
【００３１】
各部分のボタンの種類と数量及び位置は、必要とデザインによって調整が可能であり、第２種機能ボタンの中でユーザセッティングボタンを置いて、各ボタンの役割をユーザの必要に応じて調整できるようにする。
【００３２】
本明細書の記述（説明）では、左手ユーザを基準にしており、右手ユーザは、図１の横対称軸を基準として画面とボタンを上下対称になるように変更するか、図１の縦対称軸を基準とて左右対称になるようにボタンを変えるといい。また、左手ユーザのボタンと右手ユーザのボタンを全て置くと、時によって左手を使用したり右手を使用したりする両手兼用使用が可能である。
【発明の実施のための形態】
【００３３】
次のボタン名と伴われた括弧内の内容は、第１言語をハングルで第２言語を英語で選択する場合、各ボタンとそのボタンの機能や表示するのを組み合わせてみた実施例である。
【００３４】
2013539576.tif 000003
【００３５】
2013539576.tif 000004
【００３６】
第２言語第１文字ボタンの組み合わせ：Ａ１（Ａ）、Ａ２（Ｂ）、Ａ３（Ｃ）、Ａ４（Ｄ）、Ａ５（Ｅ）、Ａ６（Ｆ）、Ａ７（Ｇ）、Ａ８（Ｈ）、Ａ９（Ｉ）、Ａ１０（Ｊ）、Ａ１１（Ｋ）、Ａ１２（Ｌ）、Ａ１３（Ｙ）、Ａ１４（Ｚ）。
【００３７】
第２言語第２文字ボタンの組み合わせ：Ａ１（Ｍ）、Ａ２（Ｎ）、Ａ３（Ｏ）、Ａ４（Ｐ）、Ａ５（Ｑ）、Ａ６（Ｒ）、Ａ７（Ｓ）、Ａ８（Ｔ）、Ａ９（Ｕ）、Ａ１０（Ｖ）、Ａ１１（Ｗ）、Ａ１２（Ｘ）、Ａ１３（Ｙ）、Ａ１４（Ｚ）。
【００３８】
数字ボタンの組み合わせ：Ａ１（１）、Ａ２（２）、Ａ３（３）、Ａ４（４）、Ａ５（５）、Ａ６（６）、Ａ７（７）、Ａ８（８）、Ａ９（９  ）、Ａ１０（０）、Ａ１１（０）、Ａ１２（０）、Ａ１３（。）、Ａ１４（、）。
【００３９】
演算ボタンの組み合わせ：Ａ１（＋）、Ａ２（−）、Ａ３（＊）、Ａ４（／）、Ａ５（＝）、Ａ６（ＲＯＯＴ）、Ａ７（（）、Ａ８（））、Ａ９（）、Ａ１０（）、Ａ１１（［）、Ａ１２（］）、Ａ１３（Ｃ）、Ａ１４（ＡＣ）。  （演算ボタンを毎回より押すたびに、また他の１４個の演算ボタンの組み合わせが可能で、該当演算ボタンの組み合わせが画面に浮かぶようにする。）
【００４０】
特殊符号ボタンの組み合わせ：Ａ１（？）、Ａ２（！）、Ａ３（）、Ａ４（）、Ａ（）、Ａ６（）、Ａ７（：）、Ａ８（；）、Ａ９（＠）、Ａ１０（＃）、Ａ１１（＄）、Ａ１２（％）、Ａ１３（、Ａ１４（＆）。（特殊符号ボタンを毎回より押すたびに、また他の１４個の特殊符号ボタンの組み合わせが可能で、該当特殊符号ボタンの組み合わせが画面に浮かぶようにする。）
【００４１】
シフトボタンの組み合わせ：Ｂ１（第１文字）、Ｂ２（第２文字）、Ｂ３（大文字）、Ｂ４（小文字）、Ｂ５（数字）、Ｂ６（演算符号）、Ｂ７（第１言語）、Ｂ８（第２言語）、Ｂ９（第３言語）、Ｂ１０（特殊符号）。
【００４２】
第１種機能ボタンの組み合わせ：Ｃ１（ＥＮＴＥＲ）、Ｃ２（ＣＯＮＴＲＯＬ）、Ｃ３（ＳＰＡＣＥ、Ｃ４（ＢＡＣＫＳＰＡＣＥ）、Ｃ５（ＩＮＳＥＲＴ）、Ｃ６（ＴＡＢ）、Ｃ７（ＤＥＬＥＴＥ）、Ｃ８（ＡＬＴ）、Ｃ９（ＦＵＮＣＴＩＯＮ）、Ｃ１０（ＥＳＣ）。
【００４３】
第２種機能ボタンの組み合わせ：Ｄ１（通話）、Ｄ２（メッセージ）、Ｄ３（確認）、Ｄ４（キャンセル）、Ｄ５（電話帳）、Ｄ６（マナーモード）、Ｄ７（ＵＰ）、Ｄ８（ＤＯＷＮ）、Ｄ９（ＲＩＧＨＴ）、Ｄ１０（ＬＥＦＴ）、Ｄ１１（ＨＩＧＨ）、Ｄ１２（ＬＯＷ）、Ｄ１３（メニュー）、Ｄ１４（）、Ｄ１５（電源）、Ｄ１６（ユーザセッティング）、Ｄ１７（撮影）。
【図１】
2013539576.tif 000005
【図２】
2013539576.tif 000006
【図３】
2013539576.tif 000007
【図４】
2013539576.tif 000008
【図５】
2013539576.tif 000009
【手続補正書】
【提出日】平成24年7月19日(2012.7.19)
【手続補正２】
【補正対象書類名】明細書
【補正対象項目名】００４０
【補正方法】変更
【補正の内容】
【００４０】
特殊符号ボタンの組み合わせ：Ａ１（？）、Ａ２（！）、Ａ３（‘）、Ａ４（’）、Ａ５（“）、Ａ６（”）、Ａ７（：）、Ａ８（；）、Ａ９（＠）、Ａ１０（＃）、Ａ１１（＄）、Ａ１２（％）、Ａ１３（、）、Ａ１４（＆）。（特殊符号ボタンを毎回より押すたびに別の１４個の特殊符号ボタンの組み合わせが可能で、該当特殊符号ボタンの組み合わせが画面に浮かぶようにする。）
【手続補正３】
【補正対象書類名】特許請求の範囲
【補正対象項目名】全文
【補正方法】変更
【補正の内容】
【特許請求の範囲】
【請求項１】
片手で握って入力する機器であって、
機器本体の両側面のうち一側面に配列された複数の文字ボタンを含めて、両側面の中で他の側面と上部に複数のシフトボタンと機能ボタンとを備えてなり、
前記複数の文字ボタンが、一国のアルファベットの総数に相当する数の文字ボタンで配列されてなり、又は、前記シフトボタンのうち、特定のシフトボタンにより転換される一国のアルファベットの総数の半分に相当する数の文字ボタンで配列されてなり、
前記複数の文字ボタンが、その文字のボタンが含まれる側面の一側端部と他側端部及び前記２つの端部の間の中間部分に分けて配列されてなり、
前記複数の文字ボタンが、親指を除いた四指が入力できるように配列されてなり、
前記シフトボタンと機能ボタンが、親指が入力できるように配列されてなり、
前記上部に位置したボタンのうち一部のシフトボタンと機能ボタンが人差指が入力できるように配列されてなる、機器。
【請求項２】
片手で握って入力する機器であって、
機器本体の両側面と上面にそれぞれ複数で用意される入力ボタンのグループを備えてなり、
前記それぞれの入力ボタンのグループが、その入力ボタンのグループが属する面と前面が交差する端部に用意される第１列の複数の入力ボタンと、
前記入力ボタンのグループが属する面と裏面が交差する端部に用意される第２列の複数の入力ボタンとを備えてなり、
前記複数の入力ボタングループを構成する入力ボタンが、それぞれの文字、記号、または機能を担当するように役割が付与されてなる、機器。
【請求項３】
前記第１列、第２列の入力ボタンの間の中間に用意される第３列の複数の入力ボタンを備えてなる、請求項２に記載の機器
【請求項４】
前記機器本体の前面と裏面にそれぞれより用意される複数の入力ボタングループを含む  請求項１ないし３に記載の機器。
【請求項５】
前記入力する機器が、携帯電話、スマートフォン、電話、リモコン又はコンピュータの有線および無線入力装置である、請求項１〜４の何れか一項に記載の機器。
【国際調査報告】
2013539576.tif 000010
2013539576.tif 000011
2013539576.tif 000012
2013539576.tif 000013
2013539576.tif 000014
2013539576.tif 000015